(57)【要約】【課題】本発明は、ＦＡＸ通信とネットワーク通信とのゲートウェイ装置において内部に蓄積した蓄積データを保護し、セキュリティを向上させる複合装置及び秘匿方法を提供することを目的とする。【解決手段】本発明の複合装置は、秘匿キーを記憶する秘匿キーデバイスが接続されたことを検知する秘匿キーデバイス検知手段と、メモリ蓄積情報及び蓄積データを暗号化する暗号化手段と、暗号化されたメモリ蓄積情報及び蓄積データをハードウェアのみが関連付ける手段と、蓄積データに対してジョブがあった場合秘匿キーデバイスに記憶された秘匿キーにより蓄積データを復号化する復号化手段とを有する。【選択図】        図１
2004260229.tif 000002
【特許請求の範囲】
【請求項１】
マルチファンクションな機能を有する複合装置において、
秘匿キーを記憶する秘匿キーデバイスが接続されたことを検知する秘匿キーデバイス検知手段と、
メモリ蓄積情報及び蓄積データを暗号化する暗号化手段と、
暗号化された前記メモリ蓄積情報及び前記蓄積データをハードウェアのみが関連付ける手段と、
前記蓄積データに対してジョブがあった場合前記秘匿キーデバイスに記憶された前記秘匿キーにより前記蓄積データを復号化する復号化手段と
を有することを特徴とする複合装置。
【請求項２】
複数の前記秘匿キーデバイスを認識し、各々の前記秘匿キーデバイスを区別する手段と、前記蓄積データと区別した前記秘匿キーデバイスとをそれぞれハードウェアのみが関連付ける手段とを有する請求項１記載の複合装置。
【請求項３】
前記秘匿キーデバイスに複数の暗号化ロジックを装備する手段と、前記暗号ロジックを原稿画像に応じて切替える切替手段とを有する請求項１又は２に記載の複合装置。
【請求項４】
マルチファンクションな機能を有する複合装置における秘匿方法において、
秘匿キーデバイスに秘匿キーを記憶させ、メモリ蓄積情報及び蓄積データを暗号化し、暗号化されたメモリ蓄積情報と蓄積データをハードウェアのみが関連付け、前記蓄積データに対してジョブがあった場合前記秘匿キーデバイスに記憶された前記秘匿キーにより前記蓄積データを復号化することを特徴とする複合装置における秘匿方法。
【請求項５】
複数の前記秘匿キーデバイスを認識し、各々の前記秘匿キーデバイスを区別し、前記蓄積データと区別した前記秘匿キーデバイスとをハードウェアのみが関連付ける請求項４記載の複合装置における秘匿方法。
【請求項６】
前記秘匿キーデバイスに複数の暗号化ロジックを装備し、前記暗号ロジックを原稿画像に応じて切替える請求項４又は５に記載の複合装置における秘匿方法。
【発明の詳細な説明】
【０００１】
【発明の属する技術分野】
本発明は複合装置及び秘匿方法に関し、詳細にはファクシミリ通信装置、複合装置、ネットワーク端末において内部に蓄積したデータを保護する秘匿方法に関する。
【０００２】
【従来の技術】
【特許文献１】特許第３，０６９，７５７号明細書
【特許文献２】特開平１０−２４７９０４号公報
上記特許文献１のファクシミリ受信装置は、ＦＡＸ受信があると受信日や受信順を示す数字を含むＩＤ番号を付与するとともに、ＦＡＸ受信データの先頭ページ、全ページを識別する。そして、当該ファクシミリ受信装置に接続する端末から、先頭ページ参照の要求があると、付与されたＩＤ番号と先頭ページのデータを端末に供給し、具体的には端末のＣＲＴに表示する。全ページ参照の要求があれば同様の処理を行うものである。また、端末から参照するユーザがユーザ識別子をもって操作する場合、当該ファクシミリ受信装置はその識別子とともに参照された履歴データを作成管理することもできる。更に、上記ユーザ識別子は予めファクシミリ受信装置にも登録できるようにし、ユーザごと許可／禁止を行うこともできる。また、参照に関しては、ＦＡＸ受信した時間範囲を設定して、参照することもできる。
【０００３】
また、上記特許文献２には、電話網とコンピュータ網との中間に位置する装置で、暗号化処理を行う暗号化通信方法が記載されている。電話網側との通信データは非暗号化で行い、コンピュータ網との通信データは暗号化で行うものである。すなわち、電話網からコンピュータ網への通信データがある場合、受信データを暗号化して受信し、コンピュータ網から電話網への通信データがある場合には、暗号を復元して送信する。また、コンピュータ網における相互通信の場合、その暗号化データが異なる形式の場合には、受信側に応じた暗号化形式に変換して通信する。
【０００４】
【発明が解決しようとする課題】
しかしながら、上記特許文献１によれば、パスワード等での機密性はあまり効果がなく、それ以上の識別を行うにはＩＣカードなど装置が高価になってしまい、ＦＡＸデータの機密を守るためにはあまりにも無駄である。また、端末がコンピュータネットワークに接続した場合簡単に参照できてしまう。ネットワークが外部に接続している場合にはゲートウェイでのファイアーウォールが堅持となっていない場合、外部からの参照をよりし易くすると逆効果である。
【０００５】
また、上記特許文献２によれば、コンピュータ処理能力が向上している現在、ネットワーク上の暗号化はより高度になり、パスワードなど以外の、比較的大きなデータはネットワークでの盗聴が困難になってきている。また、ネットワーク上で任意のユーザになりすませば、通信データを考案装置から参照するのは全く防御がない。暗号化形式も変換してくれるので、なりすましユーザにあった暗号化にわざわざ変換してくれるという状態にまで陥ってしまう。
【０００６】
本発明はこれらの問題点を解決するためのものであり、ＦＡＸ通信とネットワーク通信とのゲートウェイ装置において内部に蓄積した蓄積データを保護し、セキュリティを向上させる複合装置及び秘匿方法を提供することを目的とする。
【０００７】
【課題を解決するための手段】
前記問題点を解決するために、マルチファンクションな機能を有する、本発明の複合装置は、秘匿キーを記憶する秘匿キーデバイスが接続されたことを検知する秘匿キーデバイス検知手段と、メモリ蓄積情報及び蓄積データを暗号化する暗号化手段と、暗号化されたメモリ蓄積情報及び蓄積データをハードウェアのみが関連付ける手段と、蓄積データに対してジョブがあった場合秘匿キーデバイスに記憶された秘匿キーにより蓄積データを復号化する復号化手段とを有することに特徴がある。よって、外部からの蓄積データに対する秘匿ができる複合装置を提供できる。
【０００８】
また、複数の秘匿キーデバイスを認識し、各々の秘匿キーデバイスを区別する手段と、蓄積データと区別した秘匿キーデバイスとをそれぞれハードウェアのみが関連付ける手段とを有することにより、各個人ごとに蓄積データの秘匿ができる。
【０００９】
更に、秘匿キーデバイスに複数の暗号化ロジックを装備する手段と、暗号ロジックを原稿画像に応じて切替える切替手段とを有することにより、処理を高速に行い、かつ蓄積データを複雑化させ、より一層秘匿性を向上させることができる。
【００１０】
また、別の発明としての複合装置における秘匿方法によれば、秘匿キーデバイスに秘匿キーを記憶させ、メモリ蓄積情報及び蓄積データを暗号化し、暗号化されたメモリ蓄積情報と蓄積データをハードウェアのみが関連付け、蓄積データに対してジョブがあった場合秘匿キーデバイスに記憶された秘匿キーにより蓄積データを復号化する。よって、内部に蓄積した蓄積データを保護し、セキュリティを向上させることができる。
【００１１】
更に、複数の秘匿キーデバイスを認識し、各々の秘匿キーデバイスを区別し、蓄積データと区別した秘匿キーデバイスとをハードウェアのみが関連付けることにより、各個人ごとの蓄積データに対する秘匿ができる。
【００１２】
また、秘匿キーデバイスに複数の暗号化ロジックを装備し、暗号ロジックを原稿画像に応じて切替えることにより、処理を高速に行い、かつ蓄積データを複雑化させてより一層秘匿性を向上できる。
【００１３】
【発明の実施の形態】
本発明の複合装置は、秘匿キーを記憶する秘匿キーデバイスが接続されたことを検知する秘匿キーデバイス検知手段と、メモリ蓄積情報及び蓄積データを暗号化する暗号化手段と、暗号化されたメモリ蓄積情報及び蓄積データをハードウェアのみが関連付ける手段と、蓄積データに対してジョブがあった場合秘匿キーデバイスに記憶された秘匿キーにより蓄積データを復号化する復号化手段とを有する。
【００１４】
【実施例】
図１は本発明の一実施例に係る複合装置の構成を示すブロック図である。同図に示す本実施例の複合装置１は、主に、コピー制御部１００、通信制御部２００及びこれらに直流電源を供給する電源供給部３００を含んで構成され、コピー制御部１００と通信制御部２００とはブリッジ４００を介してコマンド通信を行う。また、コピー制御部１００は、本実施例の複合装置１における操作パネルの制御、スキャナによる原稿の読込み、そしてプリント出力を行う。更に、通信制御部２００は、各種通信の制御部を介してデータ送受信全般を担当する。また、コピー制御部１００は、コピー機能及び複合装置全般を制御するメインＣＰＵ１０１、プログラムを格納しているＲＯＭ１０２、情報を蓄積するＲＡＭ１０３、データ処理に用いるｗｏｒｋＲＡＭ１０４、操作パネル１０５の制御を司る操作パネル制御部１０６、スキャナ１０７の制御を司るスキャナ制御部１０８、プロッタ１０９の制御を司るプロッタ制御部１１０、用紙、ドア、ヒータ温度などのセンサやモータ類などの各種のＩ／Ｏ部１１１の制御を司るＩ／Ｏ制御部１１２、ＨＤＤなどの大容量メモリ１１３内に記憶された画像に合った圧縮伸長を行う圧縮伸長制御部１１４、ＬＡＮＩ／Ｆ１１５の制御を司るＬＡＮ制御部１１６を含んで構成され、各構成部はシステムバス１１７を介してそれぞれ接続されている。なお、ＲＡＭ１０３は１次電池等でバックアップされ、電源ＯＦＦ時にも内容が保持される。
【００１５】
また、通信制御部２００は、外部メモリＩ／Ｆ２０１の制御及び通信制御部２００の制御全般を行う通信制御コントローラ２０２、プログラムを格納しているＲＯＭ２０３、情報を蓄積するＲＡＭ２０４、データ処理に用いるｗｏｒｋＲＡＭ２０５、ＦＡＸ画像処理部２０６、ＦＡＸ画像蓄積メモリ２０７、デジタル回線Ｉ／Ｆ２０８を介してのＧ４ＦＡＸを制御するＧ４ＦＡＸ制御部２０９、デジタル回線Ｉ／Ｆ２０８を介してＩＳＤＮ電話網との通信のやり取りを制御するＩＳＤＮ回線Ｉ／Ｆ２１０、アナログ回線Ｉ／Ｆ２１１を介してＧ３ＦＡＸを行うＧ３ＦＡＸモデム２１２を含んで構成され、各構成部はシステムバス２１３を介してそれぞれ接続されている。また、通信制御コントローラ２０２は、通信制御を行い、かつコピー制御部１００とのデータのやり取りを行う。なお、ＲＡＭ２０３は１次電池等でバックアップされ、電源ＯＦＦ時にも内容が保持される。また、通信制御部２００からの制御は直接またはメインＣＰＵ１０１を仲介して行われる。
【００１６】
更に、電源供給部３００において、複合装置で使用する直流電源はＡＣコード３０１からのＡＣ電源入力により直流電源制御部３０２で生成される。
【００１７】
次に、本実施例の複合装置におけるＦＡＸデータの扱い方について図１を用いて説明する。ここで、図１のＦＡＸ画像蓄積メモリ２０７は、標準４ＭＢで、最大３０ＭＢまで拡張可能である。これを４ＫＢ毎最大７６８０個のブロックとして管理する。１ＦＡＸ通信（複数ページの場合も含む）で複数のブロックを割り当て可能で、最大８００通信を管理できる。１ＦＡＸ通信のデータをファイルと呼ぶ。１ファイルにつき、ロケーション情報（以下ＳＡＦＩＤと略す）を割り当てる。ＳＡＦＩＤ毎に
・７６８０個の先頭ブロック番号（ＬＢＡ）
・ファイル情報＝ページ数、原稿サイズ、解像度など
・ＦＡＸ通信管理情報＝通信時刻、相手先、宛先、通信エラーなど
が一義的に管理され、図１のＲＡＭ２０４に保持されるとともに、ＳＡＦのデータ領域のヘッダ部にも保持される。なお、ＦＡＸ画像データの１ページの扱いについては、図２のページ管理の例で後述することとする。
【００１８】
そして、図１のＦＡＸ画像処理部２０６では処理のし易さから、８ｄｏｔ＊８ｄｏｔ（４ｗｏｒｄ）で扱う。画像データは、ｗｏｒｋＲＡＭなどにｂｉｔｍａｐイメージ展開では、先頭ｄｏｔから最後尾ｄｏｔまで、（１・１），（１・２），・・・，（１・ｎ），（２・１），（２・２），・・・，（ｍ・ｎ）まで４ｗｏｒｄ単位となる。
【００１９】
複合機としてＡ３対応を考えると、ｎ，ｍの例は以下である。
Ａ３縦、４００ｄｐｉの場合、２９７＊４２０ｍｍから、
ｎ＝４００＊（２９７÷２５．４）÷８≒５８４．６≦５８５
ｍ＝４００＊（４２０÷２５．４）÷８≒８２６．８≦８２７
副走査方向は最大ＤＬＴ（１１＊１７  ｉｎｃｈ）を考えると、
ｍ＝４００＊１７÷８＝８５０
となり、１０ビット（１ｋ）のデータで表せる。
【００２０】
これは、ＦＡＸ受信したデータがＦＡＸ画像処理部２０６でデコードされたり、スキャナで読み込まれたりして、ｗｏｒｋＲＡＭ２０５にイメージ展開されたときのイメージである。このイメージ展開されたデータは、ＦＡＸ画像処理部２０６でＦＡＸ圧縮のＭＭＲ圧縮され、ＦＡＸ画像蓄積メモリ２０７に蓄積される。
【００２１】
図２は本実施例におけるＦＡＸ画像データの管理例を示す図である。同図に示すような画像データは、まずブロック（１・１）から（１・ｎ）まで、８本のラインバッファにＤＭＡ転送される。ＤＭＡ転送のハードウェアロジックとしては、スタートアドレスとｎ、ｍをソフト設定し、スタートトリガを掛けると、図１のｗｏｒｋＲＡＭ２０５からＦＡＸ画像処理部２０６へ８ラインＤＭＡ転送する。ＦＡＸ画像処理部２０６にはＳＡＦの転送先アドレスがソフト設定される。ハードウェアは、スタートアドレスのレジスタに＋４ｎ（ｗｏｒｄｓ）をセットされ、転送レジスタ値を１−＞２にする。ＦＡＸ画像処理部２０６では８ライン圧縮し、上述の４ＫＢエリアに転送先アドレスから順次蓄積していく。圧縮処理が終了すると、再度ＤＭＡ転送をスタートさせる。転送レジスタがｍになると、１ページ転送及び圧縮が終了したことになる。これらは各種ＦＡＸ情報とともにＳＡＦＩＤに関連付けられて図１のＲＡＭ２０４に記憶される。
【００２２】
本実施例では、図１の外部メモリＩ／Ｆ２０１に、ＳＤカードなどの不揮発性メモリをセットすると動作するものである。外部メモリＩ／Ｆ２０１にはセット検知信号やカード認識のデータを判別する手段（カードにＩＤデータを埋めこむ）などにより、セットされているかどうか認識できるようにする。図示していない外部メモリは、データ１６ビット、アドレス１１ビットの空間を持つ。データ領域には、１〜１ｋ（０００１〜０４００）の乱数をｗｏｒｄで予め書き込んでおく。なお、データはｂｉｔ０〜１０を使用し、他は“１”とする。アドレス０００はＦＦまたはヘッダである。そして、図１の通信制御コントローラ２０２は、外部メモリを検知すると、上述のスタートアドレスレジスタのセット時にハードウェアとして、転送レジスタの値を外部メモリのアドレス１１〜１にセットし、読み込んだデータをスタートアドレスに設定する。ＤＭＡスタートアドレス設定は以下のようになる。
【００２３】
従来例    ：  スタートアドレス  ＋  ４ｎ（ｗｏｒｄ）
本実施例  ：  スタートアドレス  ＋  ４ｎ＊  読み込んだデータ
【００２４】
ＳＡＦＩＤとページエンドのＩＤはソフトウェアによってレジスタに書きこまれる。ＳＡＦＩＤのアドレスを上述の４ＫＢブロックの予め決められたオフセットアドレスに書き込むことにする。ハードウェアはファイルを転送し終わると、ＳＡＦＩＤを読み出し、再度外部メモリからデータを読み出す。ＳＡＦＩＤも１〜１ｋのデータであり、読み出されたデータでハードウェアが１ｗｏｒｄＤＭＡ転送して上書きする。
【００２５】
以上の動作により、８ｄｏｔ幅のｍ本の帯びがランダムにされ、１ｋ本のデータに変換される。ここで、（１ｋ−ｍ）本は空データであるが、ａｌｌ“０”にする。ｗｏｒｋ領域をイメージ展開前に予めクリアし、１ｋ本分確保しておいてもいいし、上述のＤＭＡスタートアドレス設定において、解像度、サイズから割り出される帯びの本数を超える値が読み出された場合にはラインバッファ自体クリアして圧縮処理をスタートさせるロジックでもいいが、いずれもハードウェアで実現できる。また、蓄積されるデータは、メモリの先頭からＭＭＲ復号されても元イメージは確認できない。また、通信管理情報からＳＡＦＩＤに相当するエリアのデータを取得してきても全く異なる通信ファイルである。なお、ＳＡＦＩＤが、８００を超える値になってもソフトウェアでエラーにしない仕様としておけばいい。更に、暗号の復号化は、ＭＭＲ圧縮を伸長して図１のｗｏｒｋＲＡＭ２０５へイメージ展開するとき、上述と同様にして外部メモリのアドレス、読み出しデータを逆に行い、展開すればいい。また、ＳＡＦＩＤもスタートアドレスが設定されると、ＳＡＦＩＤとデータ領域のオフセット分異なるエリアから取得でき、ＤＭＡ転送でスタートアドレスレジスタ値を上書きする。
【００２６】
以上により、外部メモリがセットされている間は、複合装置での紙出力は全く影響しないが、蓄積されているデータはその所在もデータも全く外部からは判別できない。ＬＡＮを通じてＳＡＦをアクセスされてもセキュリティは保持されるし、ＨＤＤにＳＡＦのミラーコピーする機能があってもデータの判別はつかない。１ｋの乱数は無数の異なる外部メモリを生産することができ、解読は不可能である。データ１６ビット、アドレス１１ビットの空間のメモリは安価であり、小型化もできる。また、カードの扱いであるが、抜いておくと、不正ユーザの出力などに対しても秘匿ができる。
【００２７】
また、複数枚の外部メモリカードを切替えられることもできる。外部メモリの予め決められた領域に、カードと１対１の番号を生産時に書き込んでおく。
【００２８】
更に、ＳＡＦＩＤのＤＭＡ転送上書きの後、カード番号をＳＡＦのヘッダにＤＭＡ書き込みを行う。ヘッダには予めこの領域をソフトで未使用にし、ハードウェアでこのアドレスにはソフトウェアのライトをプロテクトするロジックにしておく。
【００２９】
また、予めＦＡＸ画像処理部２０６ではカード不一致フラグを準備しておく。蓄積ファイルに対して何らかのジョブが実行され、ＳＡＦデータのＤＭＡ転送が要求されると、ハードウェアでカード番号とＳＡＦに書き込まれたカード番号を照合し、不一致の場合にはＤＭＡ要求をクリアし、カード不一致フラグを立てる。ソフトウェアではこのフラグを検知すると、ジョブの動作不可の旨を表示部に表示する。
【００３０】
更に、外部メモリのカードが装着されていない場合には、カード番号は生産時に禁止されている番号（例えばａｌｌ“１”）とするロジックにしておけば、正しいカードでなければ要求するジョブが実行されない旨の表示ができ、不正ユーザへの警告にもなる。
【００３１】
また、受信用には装置管理者のカード、送信用データに個人カードを使用すれば、より効果的である。
【００３２】
更に、使用するメモリ容量を削減することもできる。最大原稿サイズをＡ３とし、最大１ｋブロックとしていたため、Ａ４横の場合副走査方向は２１０ｍｍであるので、普通字（７．７本／ｍｍ）の場合には、ｍ＝２１０＊７．７÷８≒２０２．１≦２０３である。実施例として、３段階（Ａ４横：普通字、Ｂ４縦：普通字、ＤＬＴ：４００ｄｐｉ）の場合について、乱数エリアを３つ準備しておく。
【００３３】
ｍ１＝２０３（上記の算出式）
ｍ２＝３６４＊７．７÷８≒３５０．３≦３５１
ｍ３＝８２７（上記算出）
から、ｍ１＝２５６（８ビット）、ｍ２＝５１２（９ビット）、ｍ３＝１ｋ（１０ビット）とする。
【００３４】
ｍ１〜ｍ３に対応する乱数を３つ設ける。単純な例として、外部メモリは、データ１６ビット、アドレス１３ビットの空間を持つ。上位２ビットは、ｍの沿え数字とすればいい。
【００３５】
上述したように、ハードウェアのＤＭＡ転送ラインの数は、ｍのレジスタに設定している。ハードウェアではｍの値とｍ１〜ｍ３の値を比較し、外部アドレスからの乱数読みこみの上位２ビットにハードウェア設定して、以後の考案動作を行う。使用するｗｏｒｋＲＡＭやＳＡＦを軽減するとともに、処理速度の向上を図ることができるとともに、蓄積データが複雑化することで、よりデータの秘匿性を向上することができる。さらに、ｍ値は細分化してもいいが、蓄積データから原稿サイズが判別しやすくなる弊害はある。
【００３６】
なお、本発明は上記実施例に限定されるものではなく、特許請求の範囲内の記載であれば多種の変形や置換可能であることは言うまでもない。
【００３７】
【発明の効果】
以上説明したように、マルチファンクションな機能を有する、本発明の複合装置は、秘匿キーを記憶する秘匿キーデバイスが接続されたことを検知する秘匿キーデバイス検知手段と、メモリ蓄積情報及び蓄積データを暗号化する暗号化手段と、暗号化されたメモリ蓄積情報及び蓄積データをハードウェアのみが関連付ける手段と、蓄積データに対してジョブがあった場合秘匿キーデバイスに記憶された秘匿キーにより蓄積データを復号化する復号化手段とを有することに特徴がある。よって、外部からの蓄積データに対する秘匿ができる複合装置を提供できる。
【００３８】
また、複数の秘匿キーデバイスを認識し、各々の秘匿キーデバイスを区別する手段と、蓄積データと区別した秘匿キーデバイスとをそれぞれハードウェアのみが関連付ける手段とを有することにより、各個人ごとに蓄積データの秘匿ができる。
【００３９】
更に、秘匿キーデバイスに複数の暗号化ロジックを装備する手段と、暗号ロジックを原稿画像に応じて切替える切替手段とを有することにより、処理を高速に行い、かつ蓄積データを複雑化させ、より一層秘匿性を向上させることができる。
【００４０】
また、別の発明としての複合装置における秘匿方法によれば、秘匿キーデバイスに秘匿キーを記憶させ、メモリ蓄積情報及び蓄積データを暗号化し、暗号化されたメモリ蓄積情報と蓄積データをハードウェアのみが関連付け、蓄積データに対してジョブがあった場合秘匿キーデバイスに記憶された秘匿キーにより蓄積データを復号化する。よって、内部に蓄積した蓄積データを保護し、セキュリティを向上させることができる。
【００４１】
更に、複数の秘匿キーデバイスを認識し、各々の秘匿キーデバイスを区別し、蓄積データと区別した秘匿キーデバイスとをハードウェアのみが関連付けることにより、各個人ごとの蓄積データに対する秘匿ができる。
【００４２】
また、秘匿キーデバイスに複数の暗号化ロジックを装備し、暗号ロジックを原稿画像に応じて切替えることにより、処理を高速に行い、かつ蓄積データを複雑化させてより一層秘匿性を向上できる。
【図面の簡単な説明】
【図１】本発明の一実施例に係る複合装置の構成を示すブロック図である。
【図２】本実施例におけるＦＡＸ画像データの管理例を示す図である。
【符号の説明】
１；複合装置１、１００；コピー制御部、１０１；メインＣＰＵ、
１０２；ＲＯＭ、１０３；ＲＡＭ、１０４；ｗｏｒｋＲＡＭ、
１０５；操作パネル、１０６；操作パネル制御部、１０７；スキャナ、
１０８；スキャナ制御部、１０９；プロッタ、１１０；プロッタ制御部、
１１１；Ｉ／Ｏ部、１１２；Ｉ／Ｏ制御部、１１３；大容量メモリ、
１１４；圧縮伸長制御部、１１５；ＬＡＮＩ／Ｆ、１１６；ＬＡＮ制御部、
１１７；システムバス、２００；通信制御部、２０１；外部メモリ、
２０２；通信制御コントローラ、２０３；ＲＯＭ、２０４；ＲＡＭ、
２０５；ｗｏｒｋＲＯＭ、２０６；ＦＡＸ画像処理部、
２０７；ＦＡＸ画像蓄積メモリ、２０８；デジタル回線Ｉ／Ｆ、
２０９；Ｇ４ＦＡＸ制御部、２１０；ＩＳＤＮ制御部、
２１１；アナログ回線Ｉ／Ｆ、２１２；Ｇ３ＦＡＸモデム、
２１３；システムバス、３００；直流電源供給部、
３０１；ＡＣコード、３０２；直流電源制御部、４００；ブリッジ。
【図１】
2004260229.tif 000003
【図２】
2004260229.tif 000004